(57)【要約】【課題】頭取り調査において、稼動データの分析結果の信頼性を高める。【解決手段】  稼働状況取得システム１において、集計サーバ２０の制御部２１０を構成する判定部２１１は、入力端末１０から取得した、音声データ、静止画像データ又は動画像データ、位置情報などの環境情報と、音圧ＤＢ２１、画像ＤＢ２２、ＧＰＳ-ＤＢ２３に記憶された環境情報とを比較し、適合度合が所定値以下の場合、稼動データが妥当でないと判定する。【選択図】図５
2011244854.tif 000002
【特許請求の範囲】
【請求項１】
遊技場に設置された遊技機の稼働状況を示す稼動データが入力される入力端末を介して調査員により入力された前記稼動データを取得する稼働状況取得システムであって、
前記入力端末の位置する環境を表す環境情報を取得する環境情報取得部と、
前記環境情報取得部によって取得された環境情報の比較対象としての環境情報を記憶する記憶部と、
前記環境情報取得部によって取得された環境情報と前記記憶部に記憶された環境情報とを比較して、調査員により入力された前記稼動データが妥当か否か判定する判定部と
を有する稼働状況取得システム。
【請求項２】
前記判定部は、
前記環境情報取得部によって取得された環境情報と、前記記憶部に記憶された環境情報との適合度合が所定値以下の場合、前記稼動データが妥当でないと判定する請求項１に記載の稼働状況取得システム。
【請求項３】
前記判定部は、
前記記憶部に記憶された環境情報と、前記環境情報取得部によって取得された環境情報との適合度合に応じて、複数の前記稼動データに階調を有する評価値を設定し、
複数の前記環境情報に設定された前記評価値の合計が所定の閾値に達すると、前記入力端末を介して調査員により入力された前記稼動データを妥当でないと判定する請求項１に記載の稼働状況取得システム。
【請求項４】
前記環境情報は、前記入力端末の位置する場所の位置情報、前記入力端末の周囲の音声に関する音声情報の何れかを含む請求項１乃至３の何れかに記載の稼働状況取得システム。
【請求項５】
遊技場に設置された遊技機の稼働状況を示す稼動データが入力される入力端末を介して調査員により入力された前記稼動データを取得する稼働状況取得方法であって、
前記入力端末の位置する環境を表す環境情報を取得する環境情報取得ステップと、
前記環境情報取得ステップによって取得された環境情報と、前記環境情報取得部によって取得された環境情報の比較対象としての環境情報とを比較して、調査員により入力された前記稼動データが妥当でないと判定する判定部ステップと、
少なくとも、前記妥当でない稼動データにフラグを付与してメモリに保持する処理、前記妥当でない稼動データを削除する処理、或いは前記妥当でない稼動データの送信元である入力端末を記録する処理の何れかを実行するステップと
を有する稼働状況取得方法。
【発明の詳細な説明】
【技術分野】
【０００１】
本発明は、遊技場の集客状況などを含む情報を調査する稼働状況取得システム及び稼働状況取得方法に関する。
【背景技術】
【０００２】
パチンコ店、パチスロ店などを含む遊技業界では、店舗毎の集客状況や設置された遊技機種の出球状況を調査する、いわゆる「頭取り調査」が行われている。頭取り調査によって取得されるデータ（稼動データという）には、例えば、遊技機毎の出球数、客の人数、男性の人数、女性の人数、客の年齢層などがあり、これらの稼動データは、調査員によって調査されている。
【０００３】
店舗内には、パチンコ遊技機、パチスロ遊技機などの遊技機が複数集められた「島」が形成されており、稼動データは、例えば、島毎に調査される。しかし、雑多な店舗内において、稼動データを正しく収集することは難しく、収集された稼動データを集計する作業も煩雑である。
【０００４】
そこで、一例として、調査員が携帯端末のアプリケーションを利用して頭取りの調査結果を入力し、インターネットなどのネットワークを介してサーバに送信する稼働状況取得システムが提案されている（特許文献１参照）。この稼働状況取得システムでは、携帯端末に入力した稼動データをサーバに送信できるため、データ収集から分析までの一連の作業の効率を高めるという利点がある。
【先行技術文献】
【特許文献】
【０００５】
【特許文献１】特開２００７−３３０７４０号公報
【発明の概要】
【発明が解決しようとする課題】
【０００６】
しかしながら、上述の利点に相反して、次のような問題点があった。すなわち、特許文献１に開示された稼働状況取得システムでは、調査対象の店舗に必ずしも脚を運ばなく艇も稼動データを入力し、サーバに稼動データを送信できるため、実際には調査をしていなくても、調査員によって稼動データの捏造が可能なことである。取得された稼動データが捏造されたものであるか疑わしい場合には、取得した稼動データから分析された結果の信頼性も低くなる。
【０００７】
そこで、本発明は、頭取り調査において、取得された稼動データの分析結果の信頼性を高めることができる稼働状況取得システム、及び稼働状況取得方法の提供を目的とする。
【課題を解決するための手段】
【０００８】
上述した問題を解決するため、本発明は、次のような特徴を有している。遊技場に設置された遊技機の稼働状況を示す稼動データが入力される入力端末（入力端末１０）を介して調査員により入力された前記稼動データを取得する稼働状況取得システム（稼働状況取得システム）であって、前記入力端末の位置する環境を表す環境情報を取得する環境情報取得部（音声入力部１１１，撮像部１１３，ＧＰＳユニット１１２）と、前記環境情報取得部によって取得された環境情報の比較対象としての環境情報を記憶する記憶部（音圧ＤＢ２１，画像ＤＢ２２，ＧＰＳ-ＤＢ２３）と、前記環境情報取得部によって取得された環境情報と前記記憶部に記憶された環境情報とを比較して、調査員により入力された前記稼動データが妥当か否か判定する判定部（判定部２１１）とを有することを要旨とする。
ことを要旨とする。
【０００９】
本発明に係る稼働状況取得システムによれば、遊技場に設置された遊技機の稼働状況を示す稼動データが入力される入力端末の位置する環境を表す環境情報と、記憶部に記憶された環境情報とが比較されて、調査員により入力された前記稼動データが妥当か否か判定される。このため、調査員が調査対象の遊技場店舗に行ったかどうか、或いは少なくとも調査したかしなかったかを判定することができる。
【００１０】
これにより、入力されたデータが調査員によって捏造された稼動データか否か判別できる。従って、頭取り調査において、稼動データの分析結果の信頼性を高めることができる。
【発明の効果】
【００１１】
本発明によれば、頭取り調査において、取得した稼動データの分析結果の信頼性を高めることができる稼働状況取得システム、及び稼働状況取得方法を提供できる。
【図面の簡単な説明】
【００１２】
【図１】図１は、実施形態に係る稼働状況取得システムの概略を説明する構成図である。
【図２】図２は、実施形態に係る稼働状況取得システムにおいて使用される入力端末を説明する構成図である。
【図３】図３は、バーコード付き島図の構成を説明する模式図である。
【図４】図４は、実施形態に係る稼働状況取得システムにおいて使用される集計サーバを説明する構成図である。
【図５】図５は、集計サーバの動作を説明するフローチャートである。
【図６】図６は、入力端末から送信された稼動データ、島データ、入力時間データ、音圧データの一覧を説明する図である。
【図７】図７は、音圧ＤＢに記憶された音圧データの閾値を表す図である。
【図８】図８は、集計サーバの動作を説明するフローチャートである。
【図９】図９は、入力端末から送信された稼動データ、島データ、入力時間データ、環境情報の一覧を説明する図である。
【図１０】図１０は、ＧＰＳ-ＤＢに記憶された登録された遊技場店舗の位置情報一覧を表す図である。
【発明を実施するための形態】
【００１３】
図面を参照して、本発明の実施形態を説明する。具体的には、（１）稼働状況取得システムの概略構成、（２）入力端末の構成、（３）バーコード付き島図の構成、（４）集計サーバの構成、（５）入力端末の動作、（６）集計サーバによる稼動データの妥当性の判定（判定部の第１の方法）、（７）集計サーバによる稼動データの妥当性の判定（判定部の第２の方法）、（８）作用・効果、（９）その他の実施形態について説明する。以下の実施形態における図面の記載において、同一又は類似の部分には同一又は類似の符号を付している。
【００１４】
（１）稼働状況取得システムの概略構成
図１は、稼働状況取得システム１の概略を説明する構成図である。稼働状況取得システム１は、調査員によって遊技場に設置された遊技機の稼働状況を示す稼動データが入力される入力端末１０と、入力端末によって入力された稼動データが集計される集計サーバ２０とを有し、入力端末１０と集計サーバ２０とは、ネットワーク３０を介して接続されている。
【００１５】
本実施形態では、稼動データとは、パチンコ店、パチスロ店などの遊技場店舗Ｓ１〜Ｓｎにおける集客状況、出球状況などを遊技機の稼働状況に関するデータであり、例えば、遊技場店舗Ｓ１における、客数、客の性別及び年齢層などを含む客の構成、遊技機の機種ごと、或いは複数の遊技機が集合した遊技機ブロック（いわゆる「島」）ごとの出球数（パチスロの場合には出メダル数である）がある。
【００１６】
実施形態では、これらの稼動データを取得することを「頭取り調査」という。稼動データは、調査員によって入力端末１０とバーコード付き島図３００とを用いて調査される。島図とは、遊技場店舗Ｓ１〜Ｓｎの店舗内の遊技機の配置が表示された図である。本実施形態では、必要な情報が予めバーコード化されて添付されたシート状の媒体であるため、バーコード付き島図３００という。
【００１７】
（２）入力端末の構成
図２は、入力端末１０を説明する構成図である。図２に示す入力端末１０は、例えばパーソナルコンピュータである。入力端末１０は、制御部１１０と、バーコードリーダ１２０と、バーコードリーダインターフェイス（Ｉ／Ｆ）１３０と、通信部１４０と、表示部１５０と、音声出力部１６０と、記憶部１７０と、計時部１８０とを有する。実施形態では、入力端末１０は、入力部を構成するバーコードリーダ１２０を有する。
【００１８】
制御部１１０は、例えばＣＰＵによって構成され、入力端末１０の各種機能を制御する。バーコードリーダ１２０は、後述するバーコード付き島図３００にバーコードとして表示された情報を読み取る。制御部１１０は、バーコードリーダ１２０及びバーコードリーダＩ／Ｆ１３０を介して、バーコード付き島図３００（後述する）に表示された情報を受信する。
【００１９】
通信部１４０は、集計サーバ２０との間で、ネットワーク３０を介して通信する。通信部１４０は、バーコードリーダ１２０によって読み取られたデータ、或いは記憶部１５０に保持されたデータをネットワーク３０に送信する。
【００２０】
表示部１５０は、液晶表示パネル、液晶表示パネルドライバなどを有し、制御部１１０を介して受信した画像を表示したり、操作内容を表示したりする。表示部１５０は、画面上の接触された位置を検知する接触検出機能付きの表示パネルとすることができる。
【００２１】
音声出力部１６０は、スピーカ、アンプ、音声出力ドライバなどを有し、操作時に関連する操作音、確認音、警告音などを出力する。
【００２２】
記憶部１７０は、例えば、半導体メモリ、ディスク状記録媒体であり、入力端末１０における制御で用いられる各種情報を記憶する。或いは、入力端末１０における各種制御を実行するためのプログラムが記憶されている。
【００２３】
計時部１８０は、調査員によるバーコードリーダ１２０を用いた稼動データの入力の開始時刻、あるいは入力に要する入力時間データなどを計測する。計時部１８０は、調査員によっては変更できないように設定されている。
【００２４】
また、入力端末１０は、入力端末１０の周囲の音声を入力する音声入力部１１１及び音声データＩ／Ｆ１１２、入力端末１０の周囲の静止画像データまたは動画像データを取得する撮像部１１３及び撮像データＩ／Ｆ１１４、入力端末１０の位置情報を取得するＧＰＳユニット１１５とＧＰＳデータＩ／Ｆ１１６とを有する。音声入力部１１１，撮像部１１３，ＧＰＳユニット１１５は、入力端末１０の位置する環境を表す環境情報を取得する環境情報取得部を構成する。
【００２５】
制御部１１０は、バーコードリーダ１２０によって読み取られたバーコードのデータを記憶部１７０などに一時的に記憶する。また、制御部１１０は、音声データ、静止画像データ又は動画像データ、位置情報を記憶部１７０に一時的に記憶する。また、制御部１１０は、一時的に記憶されたデータを集計サーバ２０へ送信するように通信部１４０を制御する。
【００２６】
入力端末１０において、バーコードリーダ１２０は、複数の遊技機が集合した遊技機ブロック（島）を一意に識別するブロック識別子を入力させるブロック識別子入力部を構成する。またバーコードリーダ１２０は、調査員に稼動データを入力させる稼動データ入力部を構成する。
【００２７】
（３）バーコード付き島図の構成
図３は、バーコード付き島図の構成を説明する模式図である。実施形態では、バーコード付き島図３００は、遊技場店舗Ｓ１〜Ｓｎごとに用意され、調査員に与えられる。
【００２８】
バーコード付き島図３００は、遊技場において遊技機ブロックを一意に識別する島特定バーコード３０１，３０２，３０３、性別が入力される性別バーコード３０４、数字が入力されるテンキーバーコード３０５、入力するデータの項目が選択される選択バーコード３０６などが表示されている。実施形態において、島特定バーコード３０１，３０２，３０３は、ブロック識別子を構成する。
【００２９】
バーコード付き島図３００には、遊技場の客数に影響を与える要因となる付加データを入力する付加データバーコード３０７などを表示することもできる。
【００３０】
実施形態では、付加データは、天候、店で設定するイベントの有無及び内容、その他に遊技場の客数に影響を与える要因となるイベントを含む。付加データバーコード３０７と入力端末１０とは、付加データ入力部を構成する。
【００３１】
（４）集計サーバの構成
図４は、集計サーバ２０を説明する構成図である。集計サーバ２０は、制御部２１０と、通信部２２０と、操作部２３０と、表示部２４０と、音声出力部２５０と、記憶部２６０とを有する。
【００３２】
制御部２１０は、例えばＣＰＵによって構成され、集計サーバ２０の各種機能を制御する。制御部２１０の詳細な構成は後述する。
【００３３】
通信部２２０は、入力端末１０との間で、ネットワーク３０を介して通信する。通信部２２０は、バーコードリーダ１２０によって読み取られた島データ及び稼動データ、或いは記憶部１５０に保持された島データ或いは稼動データ、稼動データの入力に要した入力時間に関する時間データをネットワーク３０を介して受信する。通信部２２０は、入力インターフェイスを介して調査員により入力された島データ及び複数の稼動データを取得する。
【００３４】
また、通信部２２０は、音声データ、静止画像データ又は動画像データ、位置情報などの環境情報をネットワーク３０を介して受信する。
【００３５】
操作部２３０は、テンキーやファンクションキーなどによって構成され、主催者の操作内容を入力するために用いられるインターフェイスである。また、操作部２３０は、表示部２４０に表示された文字列などを選択したりするポインティングデバイスであるマウスも含まれる。
【００３６】
表示部２４０は、液晶表示パネル、液晶表示パネルドライバなどを有し、制御部２１０を介して受信した画像を表示したり、操作内容を表示したりする。表示部２４０は、画面上の接触された位置を検知する接触検出機能付きの表示パネルとすることができる。
【００３７】
音声出力部２５０は、スピーカ、アンプ、音声出力ドライバなどを有し、操作時に関連する操作音、確認音、警告音などを出力する。なお、実施形態において、音声出力部２５０は必須でない。
【００３８】
記憶部２６０は、例えば、半導体メモリ、ディスク状記録媒体であり、入力端末１０における制御で用いられる各種情報を記憶する。或いは、入力端末１０における各種制御を実行するためのプログラムが記憶されている。記憶部２６０は、入力端末１０から取得した島データ、稼動データ、入力時間データとを対応付けて記憶する。
【００３９】
また、記憶部２６０は、入力端末１０から取得した、音声データ、静止画像データ又は動画像データ、位置情報などの環境情報を記憶する。
【００４０】
集計サーバ２０には、音圧データが記憶された音圧データベース（音圧ＤＢ）２１、店舗及び店舗周辺の画像データが記憶された画像データベース（画像ＤＢ）２２、店舗の位置情報が記憶されたＧＰＳデータベース（ＧＰＳ-ＤＢ）２３、その他の環境情報や付加的な情報が格納された付加データベース（付加ＤＢ）２４、稼動状況データベース（稼動状況ＤＢ）２５が接続される。
【００４１】
音圧ＤＢ２１には、遊技場店舗Ｓ１〜Ｓｎごとの音圧データが記憶されている。例えば、複数フロアを有する店舗もあるため、店舗におけるフロア毎の音圧データを記憶することもできる。画像ＤＢ２２には、遊技場店舗Ｓ１〜Ｓｎ、及びその周辺の画像データが記憶されている。店舗におけるフロア毎の画像データを記憶することもできる。ＧＰＳ-ＤＢ２３には、遊技場店舗Ｓ１〜Ｓｎの存在する位置情報が記憶されている。店舗内における、例えば、島ごとの位置情報を記憶することもできる。付加ＤＢ２４には、例えば、レディースデーなど、全店舗のイベントスケジュールが記憶されている。また、付加ＤＢ２４には、過去の調査日、調査時間の店舗のある地域の、例えば、雨、晴れ、気温、湿度などの天気に関する情報が記憶されている。稼働状況ＤＢ２５には、調査員によって入力された新たな稼動データが記憶される。
【００４２】
次に、制御部２１０の構成について説明する。制御部２１０は、入力端末１０から取得した、音声データ、静止画像データ又は動画像データ、位置情報などの環境情報と、音圧ＤＢ２１、画像ＤＢ２２、ＧＰＳ-ＤＢ２３に記憶された環境情報とを比較して、調査員により入力された稼動データが妥当か否か判定する判定部２１１を有する。実施形態では、稼動データには、少なくとも、遊技機毎の出球数、客の人数、男性の人数、女性の人数、客の年齢層の何れか1つが含まれる。
【００４３】
第１の方法として、判定部２１１は、入力端末１０から取得した、音声データ、静止画像データ又は動画像データ、位置情報などの環境情報と、音圧ＤＢ２１、画像ＤＢ２２、ＧＰＳ-ＤＢ２３に記憶された環境情報との適合度合が所定値以下の場合、稼動データが妥当でないと判定する。
【００４４】
例えば、入力端末１０から取得した、ある遊技場店舗のあるフロアにおける音圧データが、音圧ＤＢ２１に記憶された同じフロアの音圧データの３０％以下であった場合には、判定部２１１は、この音圧データとともに取得した稼動データが妥当でないと判定する。
【００４５】
第２の方法として、判定部２１１は、入力端末１０から取得した、音声データ、静止画像データ又は動画像データ、位置情報などの環境情報と、音圧ＤＢ２１、画像ＤＢ２２、ＧＰＳ-ＤＢ２３に記憶された環境情報との適合度合に応じて、稼動データに階調を有するスコア（評価値）を設定し、スコア合計が所定の閾値に達した場合、新たに入力された稼動データを妥当でないと判定する。
【００４６】
判定部２１１は、第１、第２または第３の方法によって、調査員により入力された稼動データを妥当であると判定した場合には、新たに入力された稼動データを稼働状況ＤＢ２５に追加する。
【００４７】
判定部２１１は、取得した稼動データが妥当でないと判定した場合には、妥当でない稼動データにフラグを付与して稼働状況ＤＢ２５に記憶させる。または判定部２１１は、妥当でない稼動データを削除する。または判定部２１１は、妥当でない稼動データが入力された入力端末１０を識別する情報をメモリに記憶する。判定部２１１は、取得した稼動データが妥当でないと判定した場合には、入力端末１０に稼動データが正しくない旨の警告を発信してもよい。なお、「削除」には、論理削除と物理削除を含む。また、相関ＤＢ２１を避ける隔離などを含む。
【００４８】
（５）入力端末の動作
調査員は、頭取り調査を行う際には、入力端末１０を立ち上げる。このとき、計時部１８０により入力時間のカウントが開始される。
【００４９】
調査員は、島特定バーコード３０１にバーコードリーダ１２０をかざして、調査対象の島を選択する。このとき、島を特定する島データが入力端末１０に入力される。調査員は、更に、調査項目を選択する選択バーコード３０６から該当する項目を選択し（例えば、客数）、テンキーバーコード３０５に表示された数字に対応するバーコードを選択する。この操作により、選択された数字が入力端末１０に入力される。このようにすることで、島データと数字とが対応付けて入力される。
【００５０】
調査員は、適宜項目を選択し、テンキーバーコード３０５のバーコードにバーコードリーダ１２０をかざすことを繰り返すことによって、例えば、遊技機毎の出球数、客の人数、男性の人数、女性の人数、客の年齢層などの稼動データを入力する。
【００５１】
バーコード付き島図３００には、遊技場の客数に影響を与える要因となる、例えば、イベント、天候などの付加データを入力する付加データバーコード３０７などを表示することもできる。付加データバーコード３０７と入力端末１０とは、付加データ入力部を構成する。
【００５２】
入力端末１０は、上述した稼動データを入力する操作の間、音声データ、位置情報などの環境情報を取得する。また、計時部１８０において、開始時間または入力時間を取得する。また、例えば、島特定バーコード３０１，３０２，３０３が読み取られたときに、音声データまたは位置情報が取得される。このほかに、入力端末１０は、調査員が稼動データの入力を開始する開始時と終了時とに音声データ、または位置情報を取得し、送信することもできる。
【００５３】
（６）集計サーバによる稼動データの妥当性の判定（判定部の第１の方法）
次に、調査員によって入力された稼動データの妥当性を判定する方法について、図５〜図８を用いて説明する。図５は、集計サーバ２０の動作を説明するフローチャートである。はじめに、判定部の第１の方法に伴う妥当性の判定方法について説明する。ここでは、環境情報として、音圧データが使用されるものとする。
【００５４】
集計サーバ２０において、通信部２２０は、入力端末１０から送信された稼動データ、島データ、入力時間データ、音圧データを取得する（ステップＳ１）。図６は、入力端末１０から送信された稼動データ、島データ、入力時間データ、音圧データの一覧を説明する図である。
【００５５】
続いて、集計サーバ２０において、判定部２１１は、取得した音圧データと対応する音圧データを音圧ＤＢ２１から抽出し（ステップＳ２）、取得した音圧データと、音圧ＤＢ２１から抽出した音圧データとを比較する（ステップＳ３）。
【００５６】
図７は、音圧ＤＢ２１に記憶された閾値テーブルを説明する図である。音圧データの閾値が店舗ごと、フロアごと、或いは島ごとに設定されている。判定部２１１は、音圧ＤＢ２１に記憶された音圧データと比較し、適合度合が所定の閾値（例えば、閾値９０ｄＢ）に達する場合（ステップＳ４、ｙｅｓ）、稼動データを妥当であると判定する（ステップＳ５）。この場合、稼動データは、稼働状況ＤＢ２５に記憶される（ステップＳ６）。
【００５７】
適合度合が所定の閾値（例えば、閾値９０ｄＢ）に満たない場合（ステップＳ４、ｎｏ）、稼動データが妥当でないと判定する（ステップＳ７）。判定部２１１は、稼動データを削除する（ステップＳ８）。例えば、１０／５／１  ＰＭ１に取得された音圧データは、２９ｄＢ，３０ｄＢとなっている。このように、音圧データは、パチンコ店のような喧噪な場所でないことを判定するための基準として使用できる。
【００５８】
判定部２１１は、ステップＳ８において、稼動データを削除する代わりに、妥当でないと判定された稼動データに妥当でない旨のフラグを付与して稼働状況ＤＢ２５に記憶させる。あるいは、判定部２１１は、妥当でないと判定された稼動データが入力された入力端末１０に対して、稼動データが正しくない旨の警告を発信してもよい。
【００５９】
ステップＳ４では、上述した差分の閾値のほか、例えば、基準となる音圧データに対する取得音圧データの割合の閾値を設定してもよい。
【００６０】
（７）集計サーバによる稼動データの妥当性の判定（判定部の第２の方法）
図５に示したフローチャートでは、判定の基準となる環境情報がひとつの場合であった。しかし、判定部２１１は、複数の環境情報を用いて、稼動データの妥当性を判定することもできる。続いて、判定部の第２の方法に伴う妥当性の判定方法について説明する。
【００６１】
図８は、集計サーバ２０における稼動データの妥当性を判定する処理を説明するフローチャートである。
【００６２】
集計サーバ２０において、通信部２２０は、入力端末１０から送信された稼動データ、島データ、入力時間データ、音圧データ、位置情報を取得する（ステップＳ１１）。図９は、入力端末１０から送信された稼動データ、島データ、入力時間データ、音圧データ、位置情報の一覧を説明する図である。
【００６３】
続いて、集計サーバ２０において、判定部２１１は、取得した音圧データに対応する音圧データを音圧ＤＢ２１から抽出し（ステップＳ１２）、取得した音圧データと、音圧ＤＢ２１から抽出した音圧データとを比較し、適合度合に応じてスコアを生成する（ステップＳ１３）。
【００６４】
判定部２１１は、スコア合計が所定の閾値か否か判定する。スコア合計が所定の閾値に達した場合（ステップＳ１４、ｙｅｓ）、このとき取得された音圧データとともに取得された稼動データは、妥当でないと判定される（ステップＳ２０）。
【００６５】
スコア合計が所定の閾値に満たない場合（ステップＳ１４、ｎｏ）、判定部２１１は、取得した位置情報に対応する位置情報をＧＰＳ-ＤＢ２２から抽出し（ステップＳ１５）、取得した位置情報と、ＧＰＳ-ＤＢ２２から抽出した位置情報とを比較し、適合度合に応じてスコアを生成する（ステップＳ１６）。図１０は、ＧＰＳ-ＤＢ２２に記憶された調査対象の遊技場店舗の位置情報の一覧を示す図である。店舗ごと、フロアごと、或いは島ごとの位置情報が記憶されている。
【００６６】
判定部２１１は、スコア合計が所定の閾値か否か判定する。スコア合計が所定の閾値に満たない場合（ステップＳ１７、ｎｏ）、判定部２１１は、稼動データを妥当であると判定し（ステップＳ１８）、稼動データを稼働状況ＤＢ２５に記憶する（ステップＳ１９）。
【００６７】
スコア合計が所定の閾値になった場合（ステップＳ１７、ｙｅｓ）、このとき取得された音圧データ及び位置情報とともに取得された稼動データは、妥当でないと判定される（ステップＳ２０）。判定部２１１は、稼動データを削除する（ステップＳ２１）。判定部２１１は、妥当でないと判定された稼動データを削除する代わりに、妥当でない旨のフラグを付与して稼働状況ＤＢ２５に記憶してもよい。あるいは、判定部２１１は、妥当でないと判定された稼動データが入力された入力端末１０に対して、稼動データが正しくない旨の警告を発信してもよい。
【００６８】
図９において、例えば、１０／５／１０  ＰＭ１に取得された音圧データは、８０，９０，７８ｄＢとなっている。音圧データは、パチンコ店のような喧噪な場所に近いと言えるが、パチンコ店内であることを示す閾値には達していない。もしくは、測定誤差とも考えられる。判定部の第２の方法によれば、このような場合であっても、正しい判定ができる。
【００６９】
例えば、スコア１０ポイントで稼動データが妥当でないと判定されるとするとき、入力端末１０から取得した、ある遊技場店舗のあるフロアにおける音圧データが、音圧ＤＢ２１に記憶された同じフロアの音圧データの閾値以下であった場合には、判定部２１１は、この音圧データとともに取得した稼動データにスコア５を付与する。ここでは、閾値以下であった場合に、一律スコア５を付与してもよいが、付与されるスコアを閾値との差に応じて変更してもよい。例えば、大きく乖離する程、高いスコアが付与されるように設定することができる。
【００７０】
続いて、同じ音圧データ及び稼動データとともに取得したＧＰＳの位置情報と予め記憶された遊技場店舗の位置情報とを比較する。このときの誤差が、例えば、２００ｍを超えていた場合、スコア５を付与する。判定部２１１は、スコア合計が設定された１０ポイントに達したとき、稼動データが妥当でないと判定する。
【００７１】
（８）作用・効果
実施形態に係る稼働状況取得システム１によれば、遊技場に設置された遊技機の稼働状況を示す稼動データが入力される入力端末１０の位置する環境を表す音圧データ、位置情報などの環境情報と、音圧ＤＢ２１，ＧＰＳ-ＤＢ２３に記憶された環境情報とが比較されて、調査員により入力された稼動データが妥当か否か判定される。このため、調査員が調査対象の遊技場店舗に行ったかどうか、或いは少なくとも調査したか、しなかったかを判定することができる。
【００７２】
これにより、入力されたデータが調査員によって捏造された稼動データか否か判別できる。従って、頭取り調査において、稼動データの分析結果の信頼性を高めることができる。
【００７３】
実施形態において、判定部２１２は、取得された音圧データ、位置情報と、音圧ＤＢ２１，ＧＰＳ-ＤＢ２３に記憶された音圧データ、位置情報との適合度合によって生成されるスコアの合計が所定の閾値になったか否かによって、稼動データが妥当か否か判定する。ひとつの環境情報を用いて判定する場合には、正確な判定ができない場合があるが、スコア合計の閾値に基づいて判定する場合では、一連の複数の稼動データの妥当性を総合的に判定できるため、判定の精度が向上する。
【００７４】
（９）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７５】
実施形態において、調査データは、パチンコ店、パチスロ店の店舗毎の集客状況や設置された遊技機の稼働状況を表す、いわゆる頭取り調査に関するデータであると説明した。しかし、パチンコ店、パチスロ店に限定されない。例えば、ゲームセンターであってもよい。
【００７６】
図１では、入力端末１０は、１つのみ記載されている。しかし、入力端末１０は、複数用意することができる。ネットワーク３０の一例として、いわゆるインターネットを挙げているが、ネットワーク３０は、専用回線で接続されるネットワークであってもよい。
【００７７】
図２では、入力端末１０は、音声入力部１１１、撮像部１１３、及びＧＰＳユニット１１５を備えているが、環境情報取得部として、少なくとも何れか１つを備えていればよい。
【００７８】
実施形態では、バーコード付き島図２００、バーコードリーダ１６０について説明した。しかし、バーコードの代わりに、白マスと黒マスの格子状パターンで表されたマトリックス型の２次元コードを用いることができる。
【００７９】
バーコード付き島図３００は、シート状の媒体であると説明した。しかし、例えば、メモリー性を有し、かつ書き換えが可能な、いわゆる電子ペーパーのような表示装置に表示されていてもよい。この場合には、例えば、入力端末１０において、店舗名を指定すると、本部のサーバから、バーコード付き島図のデータを入力端末１０に転送することもできるため、調査対象の店舗が増えたとしても、調査員は、複数のバーコード付き島図を持ち歩く必要がなくなる。
【００８０】
実施形態では、環境情報として、音圧データ、位置情報を使用する場合について説明した。しかし、環境情報は、これらに限定されない。例えば、調査が行われた日時データ、画像データ、イベント、気象条件などがあげられる。
【００８１】
例えば、計時部１８０から取得された稼動データの入力時の日時があげられる。入力端末１０に稼動データが入力された日時と、集計サーバ２０において稼動データが取得された日時とのマッチングをとることにより、所定の日時に調査員が調査対象の遊技場店舗を訪れたか否かを判定できる。
【００８２】
また、例えば、画像データを調査員によって入力された稼動データの妥当性の判定に使用する場合には、入力端末１０に調査員に不随意的に周囲の画像を撮像する機能を付与する。取得された画像データを画像ＤＢ２２に記憶された店舗内の画像データとマッチングすることにより、調査員が調査対象の遊技場店舗を訪れたか否かを判定できる。
【００８３】
また、調査日、調査時間に遊技場店舗において設定されたイベントなどの情報を調査員によって入力された稼動データの妥当性の判定の判定に使用することもできる。この場合には、調査員に調査時に店舗で実施されていたイベントの内容を入力させて、付加ＤＢ２４に登録されたイベントスケジュールとマッチングする方法が挙げられる。
【００８４】
また、気温、湿度などの気象条件などの情報を調査員によって入力された稼動データの妥当性の判定に使用することもできる。この場合には、入力端末１０に調査員に不随意的に気温、湿度を取得できる機能を付与する。取得された気温、湿度などのデータを店舗内において取得したデータとマッチングすることにより、調査員が調査対象の遊技場店舗を訪れたか否かを判定できる。
【００８５】
例えば、喫茶店、調査員の部屋などと遊技場店舗内とでは、明るさが異なる。そこで、明るさを示す光度を稼動データの妥当性の判定に使用することもできる。この場合には、入力端末１０は、調査員に不随意的に光度を取得できる機能を有する。遊技場店舗内において取得された光度とマッチングすることにより、調査員が遊技場店舗を訪れたか否かを判定できる。
【００８６】
例えば、調査員が座って入力しているときと、歩きながら入力しているときとでは、入力端末１０が受ける振動の度合が異なる。そこで、調査員が入力端末１０への入力操作中に入力端末１０に与えられる振動を稼動データの妥当性の判定に使用することもできる。この場合には、入力端末１０に調査員に不随意的に入力端末１０の振動を取得できる機能を付与する。
【００８７】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００８８】
本発明に係る稼働状況取得システム及び稼働状況取得方法は、調査員によって行われる頭取り調査において、信頼性の高い稼動データ及び分析結果の提供に有用である。
【符号の説明】
【００８９】
１…稼働状況取得システム、  １０…入力端末、  ２０…集計サーバ、  ２１…音声データベース、  ２２…画像データベース、  ２３…ＧＰＤ−データベース、  ２４…付加データベース、  ２５…稼動データベース、  ３０…ネットワーク、  ３０…集計サーバ、  １１０…制御部、  １２０…バーコードリーダ、  １４０…通信部、  １５０…表示部、  １５０…記憶部、  １６０…バーコードリーダ、  １６０…音声出力部、  １７０…記憶部、  １８０…計時部、  ２１０…制御部、  ２１１…判定部、  ２２０…通信部、  ２３０…操作部、  ２４０…表示部、  ２５０…音声出力部、  ２６０…記憶部、  ３０１，３０２，３０３…島特定バーコード、  ３０４…性別バーコード、  ３０５…テンキーバーコード、  ３０６…選択バーコード、  ３０７…付加データバーコード
【図１】
2011244854.tif 000003
【図２】
2011244854.tif 000004
【図３】
2011244854.tif 000005
【図４】
2011244854.tif 000006
【図５】
2011244854.tif 000007
【図６】
2011244854.tif 000008
【図７】
2011244854.tif 000009
【図８】
2011244854.tif 000010
【図９】
2011244854.tif 000011
【図１０】
2011244854.tif 000012